(57)【要約】【課題】ボルト締結による水漏れや竪樋の損傷を防止しつつ、手摺の安全性を十分に高めることのできるバルコニーの排水構造及び手摺構造の提供。【解決手段】バルコニー２から集水した雨水を下方に導く竪樋柱３を備える。竪樋柱３をバルコニー２の外端面に取り付ける。竪樋柱３をバルコニー２の手摺３の端部を支持する方立柱としても兼用する。竪樋柱３に、手摺４の端部を取り付けるボルト５をスライド自在に保持するボルトレール６を形成する。ボルト５を竪樋３の内部に貫通又は貫通する寸前まで螺合することなく、竪樋３に手摺４を強固にボルト締結する。【選択図】  図３
2019090238.tif 000002
【特許請求の範囲】
【請求項１】
バルコニーから集水した雨水を下方に導く竪樋柱を備えた排水構造であって、前記竪樋柱は、バルコニーの外端面に取り付けられると共に、バルコニーの外縁の手摺の端部を支持する方立柱としても兼用され、前記竪樋柱に、手摺の端部を取り付けるボルトをスライド自在に保持するボルトレールが形成されたことを特徴とするバルコニーの排水構造。
【請求項２】
バルコニーから集水した雨水を下方に導く竪樋柱を備えた排水構造であって、前記竪樋柱は、バルコニーの外端面に取り付けられ、前記竪樋柱の両側に、バルコニーの外縁の手摺の端部を支持する方立柱が設けられたことを特徴とするバルコニーの排水構造。
【請求項３】
請求項１又は２に記載のバルコニーの排水構造の方立柱に、バルコニーの外縁の手摺の端部を取り付けられたことを特徴とする手摺構造。
【請求項４】
請求項３に記載の手摺構造の手摺を新設手摺とし、バルコニーの外縁に設置された既設手摺を新設手摺に取り替える方法であって、バルコニーの外側に足場を設置し、さらに、該足場で既設手摺を仮保持しつつ既設手摺の支柱を切断すると共に、バルコニーの外端面に前記方立柱を取り付け、その後、方立柱に新設手摺の端部を取り付けて新設手摺を設置し、既設手摺及び足場を撤去することを特徴とする手摺取替方法。
【発明の詳細な説明】
【技術分野】
【０００１】
本発明は、バルコニーから集水した雨水を下方に導く竪樋柱を備えたバルコニーの排水構造及び手摺構造に関するものである。
【背景技術】
【０００２】
一般に、中高層集合住宅などのバルコニーでは、その外縁に手摺を設置すると共に、手摺の内側に、バルコニーを上下に貫く竪樋を設けて、集水した雨水を下方に導くようにしている。
【０００３】
ただ、手摺の内側に竪樋を設けることにより、バルコニーの有効面積を狭くすると共に、その意匠性を損なうことにもなりやすい。
【０００４】
これに対し、図１０及び図１１に示すように、特許文献１は、竪樋１０１を建造物の上下階層にわたってバルコニー１０２の鼻端に設けると共に、バルコニー１０２の排水用ドレン１０３を竪樋１０１に連通し、竪樋１０１をバルコニー１０２の手摺１０４の方立として兼用した手摺の取付構造を開示している。
【先行技術文献】
【特許文献】
【０００５】
【特許文献１】特開平１１−２８７０２３（請求項１、図１、図２）
【発明の概要】
【発明が解決しようとする課題】
【０００６】
ところが、特許文献１の手摺の取付構造では、手摺を支持する方立として、雨水を流す竪樋を使用するので、竪樋に手摺を強固にボルト締結して安全性を高めようとすると、ボルトが竪樋の内部に貫通又は貫通する寸前まで螺合することになり、ボルト締結部分からの水漏れや竪樋の損傷を生じるおそれがある。
【０００７】
一方、ボルト先端から竪樋内面までの距離に十分な余裕を持たせることによって、水漏れや竪樋の損傷を防止しようとすると、ボルトの螺合長さが短くなる分、手摺の安全性を十分に高めることができなくなるおそれがある。
【０００８】
本発明は、ボルト締結による水漏れや竪樋の損傷を防止しつつ、手摺の安全性を十分に高めることのできるバルコニーの排水構造及び手摺構造の提供を目的とする。
【課題を解決するための手段】
【０００９】
上記目的を達成するために、本発明に係るバルコニーの排水構造は、バルコニーから集水した雨水を下方に導く竪樋柱を備えたものであり、その竪樋柱を、バルコニーの外端面に取り付けると共に、バルコニーの外縁の手摺の端部を支持する方立柱としても兼用し、竪樋柱に、手摺の端部を取り付けるボルトをスライド自在に保持するボルトレールを形成したものである。
【００１０】
上記構成によれば、竪樋柱をバルコニーの外端面に取り付けて手摺の方立柱としても兼用するので、竪樋柱をバルコニーの外側に配置して、バルコニーの有効面積を広くすると共に、バルコニーの意匠性を向上させることができる。
【００１１】
しかも、竪樋柱にボルトレールを形成してボルトを保持するので、ボルトを竪樋の内部に貫通又は貫通する寸前まで螺合することなく、竪樋に手摺を強固にボルト締結することができる。これにより、ボルト締結による竪樋からの水漏れや損傷を防止しつつ、手摺の安全性を十分に高めることができる。さらに、ボルトレールで、ボルトをスライド自在に保持するので、手摺の高さに合わせてボルトの位置を調節することができる。
【００１２】
また、竪樋柱を手摺の方立柱として兼用する代わりに、竪樋柱の両側に専用の方立柱を設けるようにしてもよい。
【００１３】
すなわち、本発明は、バルコニーから集水した雨水を下方に導く竪樋柱を備えた排水構造であって、前記竪樋柱は、バルコニーの外端面に取り付けられ、前記竪樋柱の両側に、バルコニーの外縁の手摺の端部を支持する方立柱が設けられたことを特徴とするバルコニーの排水構造を提供する。
【００１４】
この構成によると、竪樋柱の両側に方立柱を設けるので、上記の発明と同様、竪樋柱をバルコニーの外側に配置して、バルコニーの有効面積を広くすると共に、バルコニーの意匠性を向上させることができる。しかも、竪樋柱とは別の専用の方立柱を設けるので、方立柱に手摺をボルト締結することによる竪樋からの水漏れや損傷を防止しつつ、手摺の安全性を十分に高めることができる。
【００１５】
また、本発明は、上記のバルコニーの排水構造の方立柱に、バルコニーの外縁の手摺の端部を取り付けた手摺構造を提供する。
【００１６】
この構成によると、上記のバルコニーの排水構造の構成を採用することによる効果と同じ効果を奏することができる。
【００１７】
また、本発明は、上記の手摺構造の手摺を新設手摺として、バルコニーの外縁に設置された既設手摺を新設手摺に取り替える方法を提供する。具体的には、まず、バルコニーの外側に足場を設置する。さらに、足場で既設手摺を仮保持しつつ既設手摺の支持柱を切断すると共に、バルコニーの外端面に方立柱を取り付ける。その後、方立柱に新設手摺の端部を取り付けて新設手摺を設置し、既設手摺及び足場を撤去する。ここで、既設手摺の仮保持及び切断と、方立柱の取り付けとは、どちらを先に行ってもよい。
【００１８】
この構成によると、新設手摺を設置する際に既設手摺を残したままにするので、既設手摺を仮設手摺として利用することができ、工事の安全性を高めることができる。しかも、新設手摺の設置と既設手摺の撤去とを一連の流れで工程を進めることができるので、各作業のかぶりをなくして、工期短縮を図ることができる。
【発明の効果】
【００１９】
以上のとおり、本発明によると、竪樋柱をバルコニーの外端面に取り付けて手摺の方立柱としても兼用するように、あるいは、バルコニーの外端面に取り付けた竪樋柱の両側に専用の方立柱を設けるようにしている。これにより、竪樋柱をバルコニーの外側に配置して、バルコニーの有効面積を広くすると共に、バルコニーの意匠性を向上させることができる。
【００２０】
しかも、竪樋柱にボルトレールを形成してボルトを保持するので、あるいは、竪樋柱の両側に専用の方立柱を設けるので、ボルト締結による竪樋からの水漏れや損傷を防止しつつ、手摺の安全性を十分に高めることができる。
【図面の簡単な説明】
【００２１】
【図１】本発明の第１実施形態のバルコニーの排水構造及び手摺構造の正面図
【図２】図１のＡ−Ａ断面図
【図３】図１のＢ−Ｂ断面図
【図４】図１のＣ−Ｃ断面図
【図５】手摺取替方法を説明する図
【図６】本発明の第２実施形態のバルコニーの排水構造及び手摺構造の正面図
【図７】図２のＤ−Ｄ断面図
【図８】図２のＥ−Ｅ断面図
【図９】図２のＦ−Ｆ断面図
【図１０】従来の手摺の取付構造の断面図
【図１１】従来の手摺の取付構造の正面図
【発明を実施するための形態】
【００２２】
以下、本発明に係るバルコニーの排水構造及び手摺構造の第１実施形態及び第２実施形態について、図面を用いて説明する。
【００２３】
［第１実施形態］
図１〜図４に示すように、排水構造１は、例えば、中高層集合住宅のバルコニー２に設置されるものであり、バルコニー２から集水した雨水を下方に導く竪樋柱３を、バルコニー２の外端面に取り付けて、バルコニー２の外縁の手摺４の端部を支持する方立柱としても兼用し、さらに、その竪樋柱３に、手摺４の端部を取り付けるボルト５をスライド自在に保持するボルトレール６を形成したものである。
【００２４】
バルコニー２は、例えば、建物本体から外方に張り出す鉄筋コンクリート製の片持ち版とされ、その外縁部に上向きに突出するパラペット７が形成されると共に、その内側に溝８が形成されている。溝８には、竪樋柱３と左右の位置を合わせてフロアドレン９が設けられて、このフロアドレン９がエルボ管１０によって竪樋柱３に接続され、溝８に流れ込んだバルコニー２の水がフロアドレン９からエルボ管１０を介して竪樋柱３に導かれて排水される。
【００２５】
竪樋柱３は、例えば、各階の高さと同じ長さのアルミニウム製の角筒１１を上下に接続してなり、角筒１１の下端部の外形寸法を小さく形成して下側の角筒１１の上端部に嵌合させて、各階にわたる長さに構成される。この竪樋柱３は、角筒１１の接続部をバルコニー２の外端面に対向させて配置され、角筒１１の接続部を上下に跨ぎつつ左右に挟む一対のアングル材１２を介して、バルコニー２の外端面に取り付けられる。
【００２６】
竪樋柱３の左右の側面には、手摺４の端部を取り付けるボルト５のボルトヘッドを抜き出し不能かつ上下方向にスライド可能に保持するよう、各側面に、それぞれ２条のボルトレール６が形成されている。ボルトレール６は、竪樋柱３の左右の側面に上下に連続して凹設した溝とされ、その開口縁が狭められて、ボルト５のボルトヘッドの抜け出しを阻止している。
【００２７】
手摺４は、バルコニー２の外縁に沿って水平に配置された上弦材１３及び下弦材１４を左右に間隔をあけて配置された複数の縦の格子１５で繋いだ構造とされる。この手摺４の両端部を、方立柱としての竪樋柱３と、竪樋柱３とは別の専用の方立柱１６と、に取り付けると共に、中央部に設けられた支柱１７をバルコニー２の外端面に取り付けることにより、手摺構造１８が構成される。
【００２８】
方立柱１６は、例えば、各階の高さと同じ長さのアルミニウム製の角筒１９を上下に接続してなり、角筒１９の下端部の外形寸法を小さく形成して下側の角筒１９の上端部に嵌合させて、各階にわたる長さに構成される。この方立柱１６は、角筒１９の接続部をバルコニー２の外端面に対向させて配置され、角筒１９の接続部を上下に跨ぎつつ左右に挟む一対のアングル材２０と、角筒１９の奥側の面をバルコニー２の外縁部下面に接続するアングル材２１とを介して、バルコニー２の外端面に取り付けられる。
【００２９】
手摺４の上弦材１３の一端は、ボルトレール６に保持されたボルト５により、取付金具２２を介して竪樋柱３に取り付けられ、下弦材１４の一端は、取付金具２３を介して竪樋柱３に係止されている。手摺４の上弦材１３の他端は、方立柱１６を左右に貫通するボルト２４により、取付金具２５を介して方立柱１６に取り付けられ、下弦材１４の他端は、取付金具２６を介して方立柱１６に係止されている。手摺４の支柱１７は、その下端を左右に挟む一対のアングル材２８を介して、バルコニー２の外端面に取り付けられる。
【００３０】
次に、図５を参照して、手摺４を新設手摺とし、バルコニー２の外縁に設置された既設手摺２９を新設手摺４に取り替える方法を説明する。
【００３１】
まず、バルコニー２の外側に足場３０を設置する（図５（ａ）、（ｂ））。次いで、足場３０で既設手摺２９を仮保持しつつ既設手摺２９の支持柱３１を切断する（図５（ｃ））。バルコニー２の外端面に竪樋柱３及び方立柱１６を取り付ける。このとき、竪樋柱３のボルトレール６にボルト５のボルトヘッドを挿入しておく（図５（ｄ））。なお、既設手摺２９の仮保持及び切断は、バルコニー２の外端面に竪樋柱３及び方立柱１６を取り付けた後であってもよい。
【００３２】
ボルトレール６に沿ってボルト５を上下にスライドさせて、ボルト５の高さを調節し、竪樋柱３に新設手摺４の一端を取り付ける。また、方立柱１６に新設手摺４の他端を取り付けると共に、バルコニー２の外端面に手摺４の中央部の支柱１７の下端を取り付けて新設手摺４を設置する（図５（ｅ））。その後、既設手摺２９及び足場３０を撤去することにより、手摺の取替が完了する（図５（ｆ））。
【００３３】
上記構成によれば、竪樋柱３をバルコニー２の外側に配置して、手摺４の方立柱としても兼用しているので、バルコニー２の有効面積を広くすると共に、バルコニー２の意匠性を向上させることができる。しかも、竪樋柱３にボルトレール６を形成してボルト５のボルトヘッドを保持するので、竪樋柱３を貫通させることなく、ボルト５により、手摺４の一端を竪樋柱３にボルト締結することができ、ボルト締結による竪樋３からの水漏れや損傷を防止しつつ、手摺の安全性を十分に高めることができる。
【００３４】
［第２実施形態］
図６〜図９に示すように、第２実施形態の排水構造３２及び手摺構造３３は、第１実施形態とほぼ同じ構成であるが、竪樋柱３４は、ボルトレール６のない単純形状の角筒からなり、その両側に、竪樋柱３４と同一形状の柱３５を介在させつつ、バルコニー２の手摺４の一端を支持する専用の方立柱３６を設けたものである。
【００３５】
竪樋柱３４及び柱３５は、支持金具３７を介して、バルコニー２の外端面に取り付けられる。また、方立柱３６は、左右方向で外側に配置されたアングル材３８と、奥側の面をバルコニー２の外縁部下面に接続するアングル材３９とを介して、バルコニー２の外端面に取り付けられる。なお、他の構成は、第１実施形態と同じである。
【００３６】
上記構成によれば、竪樋柱３４の両側に、同一形状の柱３５を介在させつつ、専用の方立柱３６を設けるので、バルコニーの意匠性を向上させることができる。しかも、専用の方立柱３６を設けるので、ボルト締結による竪樋３４からの水漏れや損傷を防止しつつ、手摺の安全性を十分に高めることができる。
【符号の説明】
【００３７】
１      排水構造
２      バルコニー
３      竪樋柱
４      手摺
５      ボルト
６      ボルトレール
７      パラペット
８      溝
９      フロアドレン
１０    エルボ管
１１    角筒
１２    アングル材
１３    上弦材
１４    下弦材
１５    格子
１６    方立柱
１７    支柱
１８    手摺構造
１９    角筒
２０    アングル材
２１    アングル材
２２    取付金具
２３    取付金具
２４    ボルト
２５    取付金具
２６    取付金具
２８    アングル材
２９    既設手摺
３０    足場
３１    支持柱
３２    排水構造
３３    手摺構造
３４    竪樋柱
３５    柱
３６    方立柱
３７    支持金具
３８    アングル材
３９    アングル材
【図１】
2019090238.tif 000003
【図２】
2019090238.tif 000004
【図３】
2019090238.tif 000005
【図４】
2019090238.tif 000006
【図５】
2019090238.tif 000007
【図６】
2019090238.tif 000008
【図７】
2019090238.tif 000009
【図８】
2019090238.tif 000010
【図９】
2019090238.tif 000011
【図１０】
2019090238.tif 000012
【図１１】
2019090238.tif 000013
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
バルコニーから集水した雨水を下方に導く竪樋柱を備えた排水構造であって、前記竪樋柱は、バルコニーの外端面に取り付けられると共に、バルコニーの外縁の手摺の端部を支持する方立柱としても兼用され、前記竪樋柱に、手摺の端部を取り付けるボルトをスライド自在に保持するボルトレールが形成されたことを特徴とするバルコニーの排水構造。
【請求項２】
請求項１に記載のバルコニーの排水構造と、バルコニーの外縁に設置された手摺とからなり、前記バルコニーの排水構造の方立柱に、前記手摺の端部を取り付けられたことを特徴とする手摺構造。
【請求項３】
請求項２に記載の手摺構造の手摺を新設手摺とし、バルコニーの外縁に設置された既設手摺を新設手摺に取り替える方法であって、バルコニーの外側に足場を設置し、さらに、該足場で既設手摺を仮保持しつつ既設手摺の支柱を切断すると共に、バルコニーの外端面に前記方立柱を取り付け、その後、方立柱に新設手摺の端部を取り付けて新設手摺を設置し、既設手摺及び足場を撤去することを特徴とする手摺取替方法。
【手続補正２】
【補正対象書類名】明細書
【補正対象項目名】００１３
【補正方法】変更
【補正の内容】
【００１３】
すなわち、バルコニーから集水した雨水を下方に導く竪樋柱を備えた排水構造であって、前記竪樋柱は、バルコニーの外端面に取り付けられ、前記竪樋柱の両側に、バルコニーの外縁の手摺の端部を支持する方立柱が設けられたことを特徴とするバルコニーの排水構造を採用することもできる。
【手続補正３】
【補正対象書類名】明細書
【補正対象項目名】００１５
【補正方法】変更
【補正の内容】
【００１５】
また、本発明は、上記のバルコニーの排水構造と、バルコニーの外縁に設置された手摺とからなり、バルコニーの排水構造の方立柱に、手摺の端部を取り付けた手摺構造を提供する。
【手続補正４】
【補正対象書類名】明細書
【補正対象項目名】００１９
【補正方法】変更
【補正の内容】
【００１９】
以上のとおり、本発明によると、竪樋柱をバルコニーの外端面に取り付けて手摺の方立柱としても兼用するようにしている。これにより、竪樋柱をバルコニーの外側に配置して、バルコニーの有効面積を広くすると共に、バルコニーの意匠性を向上させることができる。
【手続補正５】
【補正対象書類名】明細書
【補正対象項目名】００２０
【補正方法】変更
【補正の内容】
【００２０】
しかも、竪樋柱にボルトレールを形成してボルトを保持するので、ボルト締結による竪樋からの水漏れや損傷を防止しつつ、手摺の安全性を十分に高めることができる。
【手続補正６】
【補正対象書類名】明細書
【補正対象項目名】００２１
【補正方法】変更
【補正の内容】
【００２１】
【図１】本発明のバルコニーの排水構造及び手摺構造の正面図
【図２】図１のＡ−Ａ断面図
【図３】図１のＢ−Ｂ断面図
【図４】図１のＣ−Ｃ断面図
【図５】手摺取替方法を説明する図
【図６】参考の形態のバルコニーの排水構造及び手摺構造の正面図
【図７】図２のＤ−Ｄ断面図
【図８】図２のＥ−Ｅ断面図
【図９】図２のＦ−Ｆ断面図
【図１０】従来の手摺の取付構造の断面図
【図１１】従来の手摺の取付構造の正面図
【手続補正７】
【補正対象書類名】明細書
【補正対象項目名】００２２
【補正方法】変更
【補正の内容】
【００２２】
以下、本発明に係るバルコニーの排水構造及び手摺構造の実施形態及び参考の形態について、図面を用いて説明する。
【手続補正８】
【補正対象書類名】明細書
【補正対象項目名】００２３
【補正方法】変更
【補正の内容】
【００２３】
［実施形態］
図１〜図４に示すように、排水構造１は、例えば、中高層集合住宅のバルコニー２に設置されるものであり、バルコニー２から集水した雨水を下方に導く竪樋柱３を、バルコニー２の外端面に取り付けて、バルコニー２の外縁の手摺４の端部を支持する方立柱としても兼用し、さらに、その竪樋柱３に、手摺４の端部を取り付けるボルト５をスライド自在に保持するボルトレール６を形成したものである。
【手続補正９】
【補正対象書類名】明細書
【補正対象項目名】００３４
【補正方法】変更
【補正の内容】
【００３４】
［参考の形態］
図６〜図９に示すように、参考の形態の排水構造３２及び手摺構造３３は、実施形態とほぼ同じ構成であるが、竪樋柱３４は、ボルトレール６のない単純形状の角筒からなり、その両側に、竪樋柱３４と同一形状の柱３５を介在させつつ、バルコニー２の手摺４の一端を支持する専用の方立柱３６を設けたものである。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
バルコニーから集水した雨水を下方に導く竪樋柱を備えた排水構造であって、前記竪樋柱は、バルコニーの外端面に取り付けられると共に、バルコニーの外縁の手摺の端部を支持する方立柱としても兼用され、前記竪樋柱の側面に、手摺の端部を取り付けるボルトをスライド自在に保持するボルトレールが凹設されたことを特徴とするバルコニーの排水構造。
【請求項２】
請求項１に記載のバルコニーの排水構造と、バルコニーの外縁に設置された手摺とからなり、前記バルコニーの排水構造の方立柱に、前記手摺の端部を取り付けられたことを特徴とする手摺構造。
【請求項３】
請求項２に記載の手摺構造の手摺を新設手摺とし、バルコニーの外縁に設置された既設手摺を新設手摺に取り替える方法であって、バルコニーの外側に足場を設置し、さらに、該足場で既設手摺を仮保持しつつ既設手摺の支柱を切断すると共に、バルコニーの外端面に前記方立柱を取り付け、その後、方立柱に新設手摺の端部を取り付けて新設手摺を設置し、既設手摺及び足場を撤去することを特徴とする手摺取替方法。
【手続補正２】
【補正対象書類名】明細書
【補正対象項目名】０００９
【補正方法】変更
【補正の内容】
【０００９】
上記目的を達成するために、本発明に係るバルコニーの排水構造は、バルコニーから集水した雨水を下方に導く竪樋柱を備えたものであり、その竪樋柱を、バルコニーの外端面に取り付けると共に、バルコニーの外縁の手摺の端部を支持する方立柱としても兼用し、竪樋柱の側面に、手摺の端部を取り付けるボルトをスライド自在に保持するボルトレールを凹設したものである。